(57)【要約】【課題】本発明は加熱調理器において、マイクロコンピューター等の制御手段の故障や、使用者が意図せずに操作部のみ操作したときに、誤って加熱調理器を動作させないようにすることを目的とする。【解決手段】安全回路部５を、ドア開閉状態が入力された制御手段１からの出力信号とドア開閉信号出力部６からの出力信号で動作するようにしたものである。これによって、使用者は、ドアを開閉する動作と操作部を操作するという２つの異なる動作・操作をしたときのみ安全回路部５を動作させることができるため、マイクロコンピューター等の制御手段の故障や、使用者が意図せずに操作部のみ操作したときに、誤って加熱調理器を動作させないようにできる。【選択図】  図１
2004247238.tif 000002
【特許請求の範囲】
【請求項１】
調理物を加熱する加熱手段と、加熱室を開閉する開閉手段と、前記開閉手段の開閉状態を出力するドア開閉信号出力部と、加熱手段を制御する制御手段と、使用者が制御手段に情報を入力する操作部と、前記加熱手段を駆動するのに前記制御手段からの制御信号単独では制御できない安全回路部とを備え、前記安全回路部はドア開閉信号出力部からの出力信号と前記制御手段からの制御信号により加熱手段を動作させることを特徴とした加熱調理器。
【請求項２】
調理物を加熱する加熱手段と、加熱室を開閉する開閉手段と、前記開閉手段の開閉状態を出力するドア開閉信号出力部と、加熱手段を制御する制御手段と、加熱開始の指示を制御手段に入力する操作部と、加熱手段を動作させる加熱手段制御部と、加熱手段制御部と制御手段との間に設けた加熱手段駆動部と、ドア開閉状態が入力された制御手段からの出力信号とドア開閉信号出力部からの出力信号で動作する安全回路部とを備え、前記安全回路部からの出力信号と加熱開始の指示を入力された制御手段からの出力信号により加熱手段駆動部を動作させ、その出力信号により加熱手段制御部を動作させることで加熱手段が動作する構成とした加熱調理器。
【請求項３】
安全回路部は、操作部の出力信号とドア開閉状態が入力された制御手段からの出力信号とドア開閉信号出力部からの出力信号で動作するようにした請求項１または２に記載の加熱調理器。
【請求項４】
ドア開閉状態が入力された制御手段からの出力信号を所定時間の間だけ出力することを特徴とした請求項１、２または３に記載の加熱調理器。
【請求項５】
ドアの開閉に応じて使用者に報知する報知手段を設けた構成の請求項１〜４のいずれか１項に記載の加熱調理器。
【請求項６】
報知手段を所定時間動作させることを特徴とした請求項５に記載の加熱調理器。
【発明の詳細な説明】
【０００１】
【発明の属する技術分野】
本発明は、マイクロコンピューター等の制御手段の故障や、使用者が意図せずに操作部のみ操作したときに、誤って動作させないようにした加熱調理器に関するものである。
【０００２】
【従来の技術】
従来、この種の加熱調理器としては、図１０及び図１１に記載されているようなものがあった。図１０は従来の加熱調理器に関する構成図、図１１は従来の高周波加熱装置の回路図を示すものである（例えば、特許文献１参照。）。
【０００３】
図１１において、１は制御手段、２は加熱手段制御部、３は加熱手段駆動部、４は操作部、５は安全回路部である。従来例では、操作部４のスイッチＳＷ１〜ＳＷ４からの出力が加熱手段１へ入力され、加熱可能な状態を制御手段１が認識すると、Ｏ１から信号を出力し（この場合、制御手段１の出力電圧は５Ｖとする）、トランジスタＱ４のエミッタに電圧を印可する。次に使用者が操作部４のＳＴＡＲＴキーを押すとダイオードＤ３を通して点Ａが５Ｖになり、トランジスタＱ６がＯＮして、それによりトランジスタＱ４のベースが０Ｖに引き込まれトランジスタＱ４がＯＮする。すなわち、トランジスタＱ４とＱ６とにより回路の安全性を保持する安全回路部５を構成する。トランジスタＱ４がＯＮするとトランジスタＱ４のコレクタがほぼ５Ｖとなるため、ＳＴＡＲＴキーが離されてもトランジスタＱ６はＯＮし続ける。また、ＳＴＡＲＴキーからの信号が制御手段１に入力されると、Ｏ３が出力されトランジスタＱ７がＯＮする。この時、トランジスタＱ６がＯＮしているため、加熱手段制御部２のリレーの接点が閉じ、加熱手段が動作する構成としていた。
【０００４】
すなわち、使用者がドアを開閉して調理物を加熱室に入れ、加熱時間等の加熱に必要な情報を操作部４から制御手段１に入力し、ＳＴＡＲＴキーを押すことで安全回路部５、加熱手段駆動部３、加熱手段制御部２を動作させることで加熱手段８が動作している。
【０００５】
【特許文献１】
特開昭６３−１８９７１５号公報
【０００６】
【発明が解決しようとする課題】
しかしながら、前記従来の構成では、操作部の操作のみで安全回路部を動作させることができるため、例えば、操作部の掃除をしている時など、使用者が意図しない場合でも誤って加熱調理器を動作させてしまうことがあるという課題を有していた。また、安全回路部は、ＳＴＡＲＴキーからの信号で動作しているため、加熱手段を動作させるには必ずＳＴＡＲＴキーを必要としていた。このため、操作部にはＳＴＡＲＴキーを構成するスペース、部品が必ず存在し、限られた操作部スペースに対してキーの点数が多くなり、１つ当たりのキーの大きさが小さくなり操作性、視認性が悪くなる、また部品点数が多くコストが高くなる、という課題を有していた。
【０００７】
本発明は、前記従来の課題を解決するもので、マイクロコンピューター等の制御手段の故障や使用者が意図せずに操作部のみ操作したときに、誤って加熱調理器を動作させないようにすることを目的とする。
【０００８】
【課題を解決するための手段】
前記従来の課題を解決するために、本発明の加熱調理器の安全回路部は、ドア開閉状態が入力された制御手段からの出力信号とドア開閉信号出力部からの出力信号で動作するようにしたものである。
【０００９】
これによって、使用者は、ドアを開閉する動作と操作部を操作するという２つの異なる動作・操作をしたときのみ安全回路部を動作させることができるため、マイクロコンピューター等の制御手段の故障や、使用者が意図せずに操作部のみ操作したときに、誤って加熱調理器を動作させないようにできる。また、ＳＴＡＲＴキーを廃止することができるため、操作部のキーの大きさを大きくでき操作性、視認性が向上し、コストも安価となる。
【００１０】
【発明の実施の形態】
請求項１に記載の発明は、調理物を加熱する加熱手段と、加熱室を開閉する開閉手段と、前記開閉手段の開閉状態を出力するドア開閉信号出力部と、加熱手段を制御する制御手段と、使用者が制御手段に情報を入力する操作部と、前記加熱手段を駆動するのに前記制御手段からの制御信号単独では制御できない安全回路部とを備え、前記安全回路部はドア開閉信号出力部からの出力信号と前記制御手段からの制御信号により加熱手段を動作させることを特徴としたことにより、使用者は、ドアを開閉する動作と操作部を操作するという２つの異なる動作・操作をしたときのみ安全回路部を動作させることができるため、マイクロコンピューター等の制御手段の故障や、使用者が意図せずに操作部のみ操作したときに、誤って加熱調理器を動作させないようにできる。
【００１１】
請求項２に記載の発明は、調理物を加熱する加熱手段と、加熱室を開閉する開閉手段と、前記開閉手段の開閉状態を出力するドア開閉信号出力部と、加熱手段を制御する制御手段と、加熱開始の指示を制御手段に入力する操作部と、加熱手段を動作させる加熱手段制御部と、加熱手段制御部と制御手段との間に設けた加熱手段駆動部と、ドア開閉状態が入力された制御手段からの出力信号とドア開閉信号出力部からの出力信号で動作する安全回路部とを備え、前記安全回路部からの出力信号と加熱開始の指示を入力された制御手段からの出力信号により加熱手段駆動部を動作させ、その出力信号により加熱手段制御部を動作させることで加熱手段が動作する構成としたことにより、使用者は、ドアを開閉する動作と操作部を操作するという２つの異なる動作・操作をしたときのみ安全回路部を動作させることができるため、マイクロコンピューター等の制御手段の故障や、使用者が意図せずに操作部のみ操作したときに、誤って加熱調理器を動作させないようにできる。また、ＳＴＡＲＴキーを廃止することができるため、操作部の操作性、視認性を向上し、かつ安価な加熱調理器とすることができる。
【００１２】
請求項３に記載の発明は、特に、請求項１または２に記載の加熱調理器の安全回路部を、操作部の出力信号とドア開閉状態が入力された制御手段からの出力信号とドア開閉信号出力部からの出力信号で動作するようにしたことにより、前記３つの出力信号により、安全回路部を動作させることになるため、更に安全性を高めることができる。
【００１３】
請求項４に記載の発明は、特に、請求項１、２または３に記載の加熱調理器に、ドア開閉状態が入力された制御手段からの出力信号を、所定時間の間だけ出力するようにしたことにより、所定時間内にのみ安全回路部を動作させることになるため、更に安全性を高めることができる。
【００１４】
請求項５に記載の発明は、特に、請求項１〜４のいずれか１項に記載の加熱調理器に、ドアの開閉に応じて使用者に報知する報知手段を設けることで、安全回路部が動作したこと、すなわち加熱調理器が動作可能状態になったことを使用者に意識させることができるため、無意識のうちに加熱手段が動作してしまうことを防ぐことができる。
【００１５】
請求項６に記載の発明は、特に、請求項５に記載の加熱調理器に、ドア開閉手段が入力された制御手段から所定時間の間だけ出力される信号に応じて、報知手段を所定時間の間動作させることで、安全回路部が動作したこと、すなわち加熱調理器が動作可能状態になっている時のみを使用者に意識させることができ、加熱調理器の状態が容易に認識することができるため、無意識のうちに加熱手段が動作してしまうことを防ぐことができる。
【００１６】
【実施例】
以下本発明の実施例について、図面を参照しながら説明する。
【００１７】
（実施例１）
図１は、本発明の第１の実施例における加熱調理器の図を示すものである。
【００１８】
図１において、６は加熱室を開閉するドアの開閉状態を出力するドア開閉信号出力部であり、ドアが閉状態では０Ｖ出力、開状態でははぼ５Ｖを出力し、その信号は制御手段１へ入力されるとともに、安全回路部５へも入力される。制御手段１は、入力されたドア開閉信号を受けて、安全回路部５に信号を出力する。安全回路部５は、ドア開閉信号出力部６からの信号と制御手段１からの信号により動作を行う。制御手段１は、操作部４より加熱開始の指示を入力されると加熱手段駆動部３に信号を出力し、加熱手段駆動部３はその信号と安全回路部５からの信号により動作を行い、その出力信号にて加熱手段制御部２を動作させ、加熱手段８を動作させている。
【００１９】
なお、図２はその回路図、図３はタイミングチャートを示す。
【００２０】
以上のように構成された加熱調理器について、図２、図３を用いて以下にその動作、作用を説明する。
【００２１】
まず、使用者がドアを開くと、ドア開でＯＦＦ、ドア閉でＯＮするドア連動スイッチにより、トランジスタＱ３のベースが０Ｖとなり、トランジスタＱ３がＯＦＦし、ドア開閉信号出力部６の出力、すなわち、Ｂ点の電位がほぼ５Ｖとなる。その信号を受けた制御手段１はドアが開けられたことを認識し、制御手段１のＯ１から信号を出力し（この場合、制御手段１の出力電圧は５Ｖとする）、トランジスタＱ７のエミッタに電圧を印可する。同時に、Ｂ点からの出力信号は、安全回路部５のトランジスタＱ８のベースに印加され、トランジスタＱ８がＯＮして、それによりトランジスタＱ７のベースが０Ｖに引き込まれトランジスタＱ７がＯＮする。すなわち、トランジスタＱ７とＱ８とにより回路の安全性を保持する安全回路部５を構成する。トランジスタＱ７がＯＮするとトランジスタＱ７のコレクタがほぼ５Ｖとなるため、ドア信号出力部６からの出力信号が０Ｖになっても（ドアが閉められても）、トランジスタＱ８はＯＮし続ける。また、操作部４のスイッチＳＷ１〜ＳＷ４からの出力が加熱手段１へ入力され、加熱可能な状態を制御手段１が認識すると、制御手段１のＯ２が出力されトランジスタＱ５のベースに５Ｖが印加される。この時、トランジスタＱ８がＯＮしているため、トランジスタＱ５がＯＮして、加熱手段制御部２のリレーの接点が閉じ、加熱手段８が動作する。
【００２２】
以上のように、本実施例においては、安全回路部５を、ドア開閉状態が入力された制御手段１からの出力信号とドア開閉信号出力部６からの出力信号で動作させることにより、マイクロコンピューター等の制御手段１の故障や、使用者が意図せずに操作部４のみ操作したときに、誤って加熱調理器を動作させないようにできる。また、ＳＴＡＲＴキーを廃止することができるため、操作部４の操作性、視認性を向上し、かつ安価な加熱調理器とすることができる。
【００２３】
なお、操作部４においてＳＴＡＲＴキーの有無によらず、上記効果を得ることができるのは言うまでもない。
【００２４】
また、本実施例のドア連動スイッチを、加熱手段制御部２のリレーと、リレー電源の間、またはリレーと加熱手段駆動部３の間に設けることで、ドアが閉じている時にのみリレーの接点を閉じることとなり、ドアが開いている時に万が一ノイズ等により制御手段１からＯ２出力または、トランジスタＱ５をＯＮする信号が印加されたとしても、リレーをＯＮさせないようにできるため、より安全性が高められる。
【００２５】
（実施例２）
図４は、本発明の第２の実施例の加熱調理器の図である。図４において、実施例１の構成と異なるところは、安全回路部５を、操作部４で加熱開始の指示をした時の出力信号とドア開閉状態が入力された制御手段１からの出力信号とドア開閉信号出力部６からの出力信号で動作するようにした点である。なお、図５はその回路図、図６はタイミングチャートを示す。
【００２６】
以上のように構成された加熱調理器について、図５、図６を用いて以下にその動作、作用を説明する。
【００２７】
まず、使用者がドアを開くと、ドア開でＯＦＦ、ドア閉でＯＮするドア連動スイッチにより、トランジスタＱ３のベースが０Ｖとなり、トランジスタＱ３がＯＦＦし、ドア開閉信号出力部６の出力、すなわち、Ｂ点の電位がほぼ５Ｖとなる。その信号を受けた制御手段１はドアが開けられたことを認識し、制御手段１のＯ１から信号を出力し（この場合、制御手段１の出力電圧は５Ｖとする）、トランジスタＱ７のエミッタおよびＱ４のエミッタに電圧を印可する。同時に、Ｂ点からの出力信号は、安全回路部５のトランジスタＱ８のベースに印加され、トランジスタＱ８がＯＮして、それによりトランジスタＱ７のベースが０Ｖに引き込まれトランジスタＱ７がＯＮする。次に使用者が操作部４のＳＴＡＲＴキーを押すとダイオードＤ３を通して点Ａが５Ｖになり、トランジスタＱ６がＯＮして、それによりトランジスタＱ４のベースが０Ｖに引き込まれトランジスタＱ４がＯＮする。すなわち、トランジスタＱ４、Ｑ６、Ｑ７とＱ８とにより回路の安全性を保持する安全回路部５を構成する。トランジスタＱ７がＯＮするとトランジスタＱ７のコレクタがほぼ５Ｖとなるため、ドア信号出力部６からの出力信号が０Ｖになっても（ドアが閉められても）、トランジスタＱ８はＯＮし続け、トランジスタＱ４がＯＮするとトランジスタＱ４のコレクタがほぼ５Ｖとなるため、ＳＴＡＲＴキーが離されてもトランジスタＱ６はＯＮし続ける。また、操作部４のＳＴＡＲＴスイッチからの出力が加熱手段１へ入力され、加熱可能な状態を制御手段１が認識すると、制御手段１のＯ２が出力されトランジスタＱ５のベースに５Ｖが印加される。この時、トランジスタＱ６とＱ８がＯＮしているため、トランジスタＱ５がＯＮして、加熱手段制御部２のリレーの接点が閉じ、加熱手段８が動作する。
【００２８】
以上のように、本実施例においては、安全回路部５を、操作部４で加熱開始の指示をした時の出力信号とドア開閉状態が入力された制御手段１からの出力信号とドア開閉信号出力部６からの出力信号で動作させることで、実施例１以上の安全性を実現することができる。
【００２９】
また、ドア連動スイッチを、加熱手段制御部２のリレーと、リレー電源の間、またはリレーと加熱手段駆動部３の間に設けることで、さらに安全性を実現することができる。
【００３０】
（実施例３）
図７は、本発明の第３の実施例の加熱調理器のタイミングチャートである。図７において、制御手段１がドア閉の認識をしている状態からドア開を認識すると、制御手段１からＯ１出力信号を出す（この場合、制御手段１の出力電圧は５Ｖとする）。そこで、制御手段１がドア閉を認識してから所定時間の間に、操作部４からの加熱開始指示が制御手段１になされないと、Ｏ１出力信号の５Ｖ出力を出さないようにすることで、Ｑ８のコレクタが０Ｖに引き込めないため、リレーがＯＦＦのままにすることができる。そうすることで、使用者が意図せず、または間違ってドアを開閉させた場合、所定時間後であれば誤って操作部４からの加熱開始指示を制御手段１に送ってしまっても、使用者の意図しない加熱手段動作をさせないようにできるため、安全性が向上する。
【００３１】
また、本実施例では、制御手段１がドア閉を認識してから所定時間の間に、操作部４からの加熱開始指示が制御手段１になされないと、Ｏ１出力信号の５Ｖ出力を出さないようにするとともに、Ｏ２出力信号の５Ｖ出力も出さないようにすることで、トランジスタＱ５、Ｑ８の２つをＯＦＦできるため、さらに安全性が向上することができる。
【００３２】
（実施例４）
図８は、本発明の第４の実施例の加熱調理器の図である。図８において、実施例１の構成と異なるところは、ドアの開閉に応じて、使用者に報知する報知手段を設けたことである。
【００３３】
以上のように構成された加熱調理器において、図８を用いて以下にその動作、作用を説明する。なお、実施例１と同一符号のものは同一構造を有し、説明は省略する。
【００３４】
まず、使用者がドアを開くと、ドア開閉出力部６からの信号が制御手段１に入力され、その信号を受けた制御手段１はドアが開けられたことを認識する。このとき、制御手段１は、報知手段７に対して使用者にドアが開けられたことを知らしめるための報知を行わせる。ここでいう報知手段７は、ブザー等による音での報知、ＬＣＤ等の表示デバイスによる表示での報知、ＬＥＤ等による光での報知などが考えられる。そうすることで、安全回路部５が動作したこと、すなわち加熱調理器が動作可能状態になったことを使用者に意識させることができるため、無意識のうちに加熱手段８が動作してしまうことを防ぐことができ、安全性の向上が図れる。
【００３５】
（実施例５）
図９は、本発明の第５の実施例の加熱調理器のタイミングチャートである。図９において、実施例３の構成と異なるところは、報知手段を所定時間の間動作させるようにしたことである。
【００３６】
以上のように構成された加熱調理器において、図９を用いて以下にその動作、作用を説明する。なお、実施例３と同一符号のものは同一構造を有し、説明は省略する。
【００３７】
まず、使用者がドアを開くと、ドア開閉出力部６からの信号が制御手段１に入力され、その信号を受けた制御手段１はドアが開けられたことを認識する。このとき、制御手段１は、報知手段７に対して使用者にドアが開けられたことを知らしめるための報知動作を開始させる。ドアが閉められ、所定時間が経過するまでは安全回路部５が動作する、すなわち加熱調理器が動作可能状態になっているため、その間報知手段７を動作させ続けることで、使用者に加熱調理器が動作可能状態になっていることを意識させ続けることができ、無意識のうちに加熱手段８が動作してしまうことを防ぐことができるため、安全性の向上が図れる。ここでいう報知手段７は、ブザー等による音での報知、ＬＣＤ等の表示デバイスによる表示での報知、ＬＥＤ等による光での報知などが考えられる。
【００３８】
【発明の効果】
以上のように、請求項１、２、３、４、５、６に記載の発明によれば、マイクロコンピューター等の制御手段の故障や、使用者が意図せずに操作部のみ操作したときに、誤って加熱調理器を動作させないようにできる。
【図面の簡単な説明】
【図１】本発明の実施例１における加熱調理器の構成図
【図２】本発明の実施例１における加熱調理器の回路図
【図３】本発明の実施例１における加熱調理器のタイムチャート
【図４】本発明の実施例２における加熱調理器の構成図
【図５】本発明の実施例２における加熱調理器の回路図
【図６】本発明の実施例２における加熱調理器のタイムチャート
【図７】本発明の実施例３における加熱調理器のタイムチャート
【図８】本発明の実施例４における加熱調理器の構成図
【図９】本発明の実施例５における加熱調理器のタイムチャート
【図１０】従来の加熱調理器の構成図
【図１１】従来の加熱調理器の回路図
【符号の説明】
１  制御手段
２  加熱手段制御部
３  加熱手段駆動部
４  操作部
５  安全回路部
６  ドア信号出力部
８  加熱手段
９  開閉手段
【図１】
2004247238.tif 000003
【図２】
2004247238.tif 000004
【図３】
2004247238.tif 000005
【図４】
2004247238.tif 000006
【図５】
2004247238.tif 000007
【図６】
2004247238.tif 000008
【図７】
2004247238.tif 000009
【図８】
2004247238.tif 000010
【図９】
2004247238.tif 000011
【図１０】
2004247238.tif 000012
【図１１】
2004247238.tif 000013